(57)【特許請求の範囲】
【請求項１】
各々提示対象とする建物で実際に使用可能とされている素材のサンプルであり、かつ自身を識別可能な識別情報を送信する送信手段を備えた複数の素材サンプルと、
前記複数の素材サンプルの表面画像を示す表面画像情報及び建物における使用場所を示す使用場所情報が対応する素材サンプルの前記識別情報に関連付けられて記憶されると共に、前記建物の３次元画像を示す３次元画像情報及び当該建物の各部屋の位置を示す位置情報が記憶された記憶手段、前記３次元画像情報に基づいて前記建物の３次元画像を表示する表示手段、複数の部屋が含まれた状態で前記建物の平面画像を提示するものであり、かつ前記素材サンプルが載置される提示手段、前記提示手段に載置された前記素材サンプルの前記送信手段により送信された前記識別情報を受信すると共に、当該素材サンプルの前記提示手段における載置位置を特定可能に構成された受信手段、及び前記提示手段により前記建物の平面画像が提示されており、かつ当該提示手段に前記素材サンプルが載置された場合に、当該素材サンプルの載置位置が前記平面画像における何れかの部屋の領域内に位置しているか否かを前記受信手段によって特定された前記載置位置と前記位置情報に基づいて判定し、何れかの部屋の領域内に位置していると判定した場合に、前記受信手段によって受信された当該素材サンプルの前記識別情報に対応する前記表面画像情報及び前記使用場所情報に基づいて、当該部屋の当該素材サンプルに対応する領域が当該素材サンプルの表面画像で表示されるように前記表示手段を制御する制御手段を備えた情報処理装置と、
を有する建物デザイン提示システム。
【請求項２】
前記記憶手段は、前記建物に含まれる部屋毎の前記素材サンプルの使用可否を示す使用可否情報が対応する素材サンプルの前記識別情報に関連付けられて更に記憶されたものであり、
前記制御手段は、前記載置された素材サンプルが載置位置に対応する部屋に使用できるか否かを前記使用可否情報に基づいて判定し、使用できないと判定した場合に警告を行う制御を行う
請求項１記載の建物デザイン提示システム。
【請求項３】
前記制御手段は、前記提示手段に前記素材サンプルが複数載置された場合に、当該複数の素材サンプル相互の位置関係が前記３次元画像情報により示される位置関係と異なっている場合に警告を行う制御を行う
請求項１又は請求項２記載の建物デザイン提示システム。
【請求項４】
前記送信手段は、ＩＣタグである
請求項１乃至請求項３の何れか１項記載の建物デザイン提示システム。
【請求項５】
前記提示手段は、前記３次元画像情報に基づいて生成された映像信号により電気的に前記平面画像が表示されることにより当該平面画像を提示するものか、又は前記３次元画像情報により示される前記平面画像を担持した光が投影されることにより当該平面画像を提示するものである
請求項１乃至請求項４の何れか１項記載の建物デザイン提示システム。
【請求項６】
前記制御手段は、前記提示手段により前記平面画像が提示されており、かつ当該提示手段に前記素材サンプルが載置され、更に当該素材サンプルの載置位置が前記平面画像における何れかの部屋の領域内に位置している場合に、当該部屋が拡大されて提示されるように前記提示手段を制御する
請求項５記載の建物デザイン提示システム。
【請求項７】
前記記憶手段は、前記複数の素材サンプルの価格を示す価格情報が対応する素材サンプルの前記識別情報に関連付けられて更に記憶されたものであり、
前記制御手段は、前記提示手段に載置された素材サンプルを実際に使用した場合の費用の見積額を前記価格情報に基づいて導出して表示するように前記表示手段を制御する
請求項１乃至請求項６の何れか１項記載の建物デザイン提示システム。
【請求項８】
各々提示対象とする建物で実際に使用可能とされている素材のサンプルである複数の素材サンプルを、自身を識別可能な識別情報を送信可能なものとし、
前記複数の素材サンプルの表面画像を示す表面画像情報及び建物における使用場所を示す使用場所情報が対応する素材サンプルの前記識別情報に関連付けられて記憶されると共に、前記建物の３次元画像を示す３次元画像情報及び当該建物の各部屋の位置を示す位置情報が記憶された記憶手段と、前記３次元画像情報に基づいて前記建物の３次元画像を表示する表示手段と、複数の部屋が含まれた状態で前記建物の平面画像を提示するものであり、かつ前記素材サンプルが載置される提示手段と、を備えた情報処理装置により、
前記提示手段により前記建物の平面画像が提示されており、かつ当該提示手段に前記素材サンプルが載置された場合に、当該素材サンプルにより送信された前記識別情報を受信すると共に、当該素材サンプルの前記提示手段における載置位置を特定し、
前記素材サンプルの載置位置が前記平面画像における何れかの部屋の領域内に位置しているか否かを特定した前記載置位置と前記位置情報に基づいて判定し、
何れかの部屋の領域内に位置していると判定した場合に、受信した前記素材サンプルの前記識別情報に対応する前記表面画像情報及び前記使用場所情報に基づいて、当該部屋の当該素材サンプルに対応する領域が当該素材サンプルの表面画像で表示されるように前記表示手段を制御する
建物デザイン提示方法。
【請求項９】
前記記憶手段により、前記建物に含まれる部屋毎の前記素材サンプルの使用可否を示す使用可否情報を対応する素材サンプルの前記識別情報に関連付けて更に記憶しておき、
前記載置された素材サンプルが載置位置に対応する部屋に使用できるか否かを前記使用可否情報に基づいて判定し、
使用できないと判定した場合に警告を行う制御を行う
請求項８記載の建物デザイン提示方法。
【請求項１０】
各々提示対象とする建物で実際に使用可能とされている素材のサンプルであり、かつ自身を識別可能な識別情報を送信する送信手段を備えた複数の素材サンプルの表面画像を示す表面画像情報及び建物における使用場所を示す使用場所情報が対応する素材サンプルの前記識別情報に関連付けられて記憶されると共に、前記建物の３次元画像を示す３次元画像情報及び当該建物の各部屋の位置を示す位置情報が記憶された記憶手段と、前記３次元画像情報に基づいて前記建物の３次元画像を表示する表示手段と、複数の部屋が含まれた状態で前記建物の平面画像を提示するものであり、かつ前記素材サンプルが載置される提示手段と、を備えた情報処理装置により実行される建物デザイン提示プログラムであり、
前記提示手段により前記建物の平面画像が提示されており、かつ当該提示手段に前記素材サンプルが載置された場合に、当該素材サンプルの前記送信手段により送信された前記識別情報を受信する受信ステップと、
前記素材サンプルの前記提示手段における載置位置を特定する特定ステップと、
前記素材サンプルの載置位置が前記平面画像における何れかの部屋の領域内に位置しているか否かを前記特定ステップによって特定された前記載置位置と前記位置情報に基づいて判定する判定ステップと、
前記判定ステップにより何れかの部屋の領域内に位置していると判定した場合に、前記受信ステップによって受信した当該素材サンプルの前記識別情報に対応する前記表面画像情報及び前記使用場所情報に基づいて、当該部屋の当該素材サンプルに対応する領域が当該素材サンプルの表面画像で表示されるように前記表示手段を制御する制御ステップと、
をコンピュータに実行させる建物デザイン提示プログラム。
【請求項１１】
前記記憶手段は、前記建物に含まれる部屋毎の前記素材サンプルの使用可否を示す使用可否情報が対応する素材サンプルの前記識別情報に関連付けられて更に記憶されたものであり、
前記制御ステップは、前記載置された素材サンプルが載置位置に対応する部屋に使用できるか否かを前記使用可否情報に基づいて判定し、使用できないと判定した場合に警告を行う制御を行う
請求項１０記載の建物デザイン提示プログラム。
【発明の詳細な説明】
【技術分野】
【０００１】
本発明は、建物デザイン提示システム、建物デザイン提示方法及び建物デザイン提示プログラムに係り、より詳しくは、建物の３次元画像を提示する建物デザイン提示システム、建物デザイン提示方法及び建物デザイン提示プログラムに関する。
【背景技術】
【０００２】
近年、集合住宅、戸建て住宅等の販売を目的とした建物は当該建物が完成する前に販売されることが多く、この場合、売買契約の前に建物のデザインを確認する際にはモデルルームや図面集（パンフレット）を利用する方法が一般的である。
【０００３】
その一方で、以上のような販売を目的とした建物では、購入者が予め用意されているメニュープランやカラーバリエーションから所望のものを選択できるようになってきた昨今、モデルルーム内にマテリアル・コーナーが設けられている場合が多い。しかしながら、その展示方法は様々であり、単にショー・ウインドウのような、ディスプレイ上の視覚的な美しさを重視した展示形式になっている場合も少なくない。
【０００４】
ここで、自分で好みの内装材料（素材）を組み合わせてインテリアデザインを行う場合には、床仕上げのフローリングと巾木、家具の調和性、建具と壁紙の調和性、或いは壁と天井壁紙の調和性、フローリングからカーペットに変更した場合の室内を構成しているマテリアルの調和はバランスがよいかどうか等の視点で完成後の室内の状態を確認したい、という要望が高い。
【０００５】
この要望に応えるために適用できる技術として、特許文献１及び特許文献２には、情報処理手段と、表示手段と、住宅設備の部材表面の質感を確認するための意匠見本サンプルとを備えた住宅設備のデザインシミュレーションによる商品提案システムであって、前記情報処理手段は、住宅設備商品の商品情報を格納する記憶手段、意匠見本サンプルの識別情報を認識するための感知手段を備えたインタフェース、及び前記識別情報に基づき意匠情報の表示を切り換えるための演算処理手段を備え、前記意匠見本サンプルは、識別情報を格納する記憶手段、及び前記感知手段を備えたインタフェースに情報伝達する情報伝達手段を具備したインタフェースを備えていることを特徴する住宅設備のデザインシミュレーションによる商品提案システムが開示されている。
【特許文献１】特開２００５−２１５９６５号公報
【特許文献２】特開２００５−２８４７１３号公報
【発明の開示】
【発明が解決しようとする課題】
【０００６】
しかしながら、上記特許文献１及び特許文献２に開示されている技術では、提示対象とする建物に複数の部屋が設けられている場合については考慮されていないため、何れか所望の部屋のみに対して選択したサンプルを適用した場合の表示を行うことが困難である、という問題点があった。
【０００７】
本発明は上記問題点を解消するためになされたものであり、容易に所望の部屋のみに対して選択したサンプルを適用した場合の表示を行うことができる建物デザイン提示システム、建物デザイン提示方法及び建物デザイン提示プログラムを提供することを目的とする。
【課題を解決するための手段】
【０００８】
上記目的を達成するために、請求項１記載の建物デザイン提示システムは、各々提示対象とする建物で実際に使用可能とされている素材のサンプルであり、かつ自身を識別可能な識別情報を送信する送信手段を備えた複数の素材サンプルと、前記複数の素材サンプルの表面画像を示す表面画像情報及び建物における使用場所を示す使用場所情報が対応する素材サンプルの前記識別情報に関連付けられて記憶されると共に、前記建物の３次元画像を示す３次元画像情報及び当該建物の各部屋の位置を示す位置情報が記憶された記憶手段、前記３次元画像情報に基づいて前記建物の３次元画像を表示する表示手段、複数の部屋が含まれた状態で前記建物の平面画像を提示するものであり、かつ前記素材サンプルが載置される提示手段、前記提示手段に載置された前記素材サンプルの前記送信手段により送信された前記識別情報を受信すると共に、当該素材サンプルの前記提示手段における載置位置を特定可能に構成された受信手段、及び前記提示手段により前記建物の平面画像が提示されており、かつ当該提示手段に前記素材サンプルが載置された場合に、当該素材サンプルの載置位置が前記平面画像における何れかの部屋の領域内に位置しているか否かを前記受信手段によって特定された前記載置位置と前記位置情報に基づいて判定し、何れかの部屋の領域内に位置していると判定した場合に、前記受信手段によって受信された当該素材サンプルの前記識別情報に対応する前記表面画像情報及び前記使用場所情報に基づいて、当該部屋の当該素材サンプルに対応する領域が当該素材サンプルの表面画像で表示されるように前記表示手段を制御する制御手段を備えた情報処理装置と、を有している。
【０００９】
請求項１記載の建物デザイン提示システムによれば、各々提示対象とする建物で実際に使用可能とされている素材のサンプルである複数の素材サンプルにより、自身を識別可能な識別情報が送信手段によって送信されるものとされている。なお、上記送信手段には、無線通信により前記識別情報を送信するものの他、有線通信により前記識別情報を送信するものも含まれる。
【００１０】
一方、本発明では、情報処理装置により、記憶手段によって前記複数の素材サンプルの表面画像を示す表面画像情報及び建物における使用場所を示す使用場所情報が対応する素材サンプルの前記識別情報に関連付けられて記憶されると共に、前記建物の３次元画像を示す３次元画像情報及び当該建物の各部屋の位置を示す位置情報が記憶される一方、当該情報処理装置に、前記３次元画像情報に基づいて前記建物の３次元画像を表示する表示手段と、複数の部屋が含まれた状態で前記建物の平面画像を提示するものであり、かつ前記素材サンプルが載置される提示手段と、前記提示手段に載置された前記素材サンプルの前記送信手段により送信された前記識別情報を受信すると共に、当該素材サンプルの前記提示手段における載置位置を特定可能に構成された受信手段と、が備えられている。なお、上記記憶手段には、ＲＡＭ、ＥＥＰＲＯＭ、フラッシュＥＥＰＲＯＭ等の半導体記憶素子、スマート・メディア（SmartMedia（登録商標））、フレキシブルディスク、光磁気ディスク等の可搬記録媒体やハードディスク等の固定記録媒体、或いはネットワークに接続されたサーバ・コンピュータ等に設けられた外部記憶装置が含まれる。また、上記表示手段には、液晶ディスプレイ、プラズマ・ディスプレイ、有機ＥＬディスプレイ、ＣＲＴディスプレイ等の各種ディスプレイ装置が含まれる。
【００１１】
そして、本発明では、情報処理装置により、前記提示手段により前記建物の平面画像が提示されており、かつ当該提示手段に前記素材サンプルが載置された場合に、制御手段によって当該素材サンプルの載置位置が前記平面画像における何れかの部屋の領域内に位置しているか否かが前記受信手段によって特定された前記載置位置と前記位置情報に基づいて判定され、何れかの部屋の領域内に位置していると判定された場合に、前記受信手段によって受信された当該素材サンプルの前記識別情報に対応する前記表面画像情報及び前記使用場所情報に基づいて、当該部屋の当該素材サンプルに対応する領域が当該素材サンプルの表面画像で表示されるように前記表示手段が制御される。
【００１２】
このように、請求項１記載の建物デザイン提示システムによれば、各々提示対象とする建物で実際に使用可能とされている素材のサンプルである複数の素材サンプルを、自身を識別可能な識別情報を送信可能なものとし、前記複数の素材サンプルの表面画像を示す表面画像情報及び建物における使用場所を示す使用場所情報が対応する素材サンプルの前記識別情報に関連付けられて記憶されると共に、前記建物の３次元画像を示す３次元画像情報及び当該建物の各部屋の位置を示す位置情報が記憶された記憶手段と、前記３次元画像情報に基づいて前記建物の３次元画像を表示する表示手段と、複数の部屋が含まれた状態で前記建物の平面画像を提示するものであり、かつ前記素材サンプルが載置される提示手段と、を備えた情報処理装置により、前記提示手段により前記建物の平面画像が提示されており、かつ当該提示手段に前記素材サンプルが載置された場合に、当該素材サンプルにより送信された前記識別情報を受信すると共に、当該素材サンプルの前記提示手段における載置位置を特定し、前記素材サンプルの載置位置が前記平面画像における何れかの部屋の領域内に位置しているか否かを、特定した前記載置位置と前記位置情報に基づいて判定し、何れかの部屋の領域内に位置していると判定した場合に、受信した前記素材サンプルの前記識別情報に対応する前記表面画像情報及び前記使用場所情報に基づいて、当該部屋の当該素材サンプルに対応する領域が当該素材サンプルの表面画像で表示されるように前記表示手段を制御しているので、容易に所望の部屋のみに対して選択したサンプルを適用した場合の表示を行うことができる。
【００１３】
なお、本発明は、請求項２に記載の発明のように、前記記憶手段が、前記建物に含まれる部屋毎の前記素材サンプルの使用可否を示す使用可否情報が対応する素材サンプルの前記識別情報に関連付けられて更に記憶されたものであり、前記制御手段が、前記載置された素材サンプルが載置位置に対応する部屋に使用できるか否かを前記使用可否情報に基づいて判定し、使用できないと判定した場合に警告を行う制御を行うものとしてもよい。これにより、誤った素材サンプルの使用を未然に回避することができる。
【００１４】
また、本発明の前記制御手段は、請求項３に記載の発明のように、前記提示手段に前記素材サンプルが複数載置された場合に、当該複数の素材サンプル相互の位置関係が前記３次元画像情報により示される位置関係と異なっている場合に警告を行う制御を行うものとしてもよい。これにより、複数の素材サンプルの誤った載置位置の発生を未然に回避することができる。
【００１５】
また、本発明の前記送信手段は、請求項４に記載の発明のように、ＩＣタグであるものとしてもよい。これにより、近年、市場に広く供給されている安価で、かつ小型のＩＣタグを利用して本発明を構成することができ、本発明を低コストで実現することができる。なお、ＩＣタグは、無線タグ、ＲＦＩＤタグ、ＩＤタグ、電磁誘導タグ等と呼ばれることもあるが、本明細書では、これらを総称してＩＣタグという。
【００１６】
また、本発明の前記提示手段は、請求項５に記載の発明のように、前記３次元画像情報に基づいて生成された映像信号により電気的に前記平面画像が表示されることにより当該平面画像を提示するものか、又は前記３次元画像情報により示される前記平面画像を担持した光が投影されることにより当該平面画像を提示するもの（所謂、プロジェクタ方式）であるものとしてもよい。これにより、前記平面画像を容易に提示することができる。
【００１７】
特に、請求項５に記載の発明の前記制御手段は、請求項６に記載の発明のように、前記提示手段により前記平面画像が提示されており、かつ当該提示手段に前記素材サンプルが載置され、更に当該素材サンプルの載置位置が前記平面画像における何れかの部屋の領域内に位置している場合に、当該部屋が拡大されて提示されるように前記提示手段を制御するものとしてもよい。これにより、素材サンプルの載置可能領域を、より広くすることができる結果、利便性を向上させることができる。
【００１８】
更に、本発明は、請求項７に記載の発明のように、前記記憶手段が、前記複数の素材サンプルの価格を示す価格情報が対応する素材サンプルの前記識別情報に関連付けられて更に記憶されたものであり、前記制御手段が、前記提示手段に載置された素材サンプルを実際に使用した場合の費用の見積額を前記価格情報に基づいて導出して表示するように前記表示手段を制御するものとしてもよい。これにより、予算に見合った素材サンプルの選定を行うことができるようになる結果、より利便性を向上させることができる。
【００１９】
一方、上記目的を達成するために、請求項８記載の建物デザイン提示方法は、各々提示対象とする建物で実際に使用可能とされている素材のサンプルである複数の素材サンプルを、自身を識別可能な識別情報を送信可能なものとし、前記複数の素材サンプルの表面画像を示す表面画像情報及び建物における使用場所を示す使用場所情報が対応する素材サンプルの前記識別情報に関連付けられて記憶されると共に、前記建物の３次元画像を示す３次元画像情報及び当該建物の各部屋の位置を示す位置情報が記憶された記憶手段と、前記３次元画像情報に基づいて前記建物の３次元画像を表示する表示手段と、複数の部屋が含まれた状態で前記建物の平面画像を提示するものであり、かつ前記素材サンプルが載置される提示手段と、を備えた情報処理装置により、前記提示手段により前記建物の平面画像が提示されており、かつ当該提示手段に前記素材サンプルが載置された場合に、当該素材サンプルにより送信された前記識別情報を受信すると共に、当該素材サンプルの前記提示手段における載置位置を特定し、前記素材サンプルの載置位置が前記平面画像における何れかの部屋の領域内に位置しているか否かを特定した前記載置位置と前記位置情報に基づいて判定し、何れかの部屋の領域内に位置していると判定した場合に、受信した前記素材サンプルの前記識別情報に対応する前記表面画像情報及び前記使用場所情報に基づいて、当該部屋の当該素材サンプルに対応する領域が当該素材サンプルの表面画像で表示されるように前記表示手段を制御するものである。
【００２０】
従って、請求項８記載の建物デザイン提示方法によれば、請求項１記載の発明と同様に作用するので、請求項１記載の発明と同様に、容易に所望の部屋のみに対して選択したサンプルを適用した場合の表示を行うことができる。
【００２１】
なお、本発明は、請求項９に記載の発明のように、前記記憶手段により、前記建物に含まれる部屋毎の前記素材サンプルの使用可否を示す使用可否情報を対応する素材サンプルの前記識別情報に関連付けて更に記憶しておき、前記載置された素材サンプルが載置位置に対応する部屋に使用できるか否かを前記使用可否情報に基づいて判定し、使用できないと判定した場合に警告を行う制御を行うものとしてもよい。これにより、誤った素材サンプルの使用を未然に回避することができる。
【００２２】
一方、上記目的を達成するために、請求項１０記載の建物デザイン提示プログラムは、各々提示対象とする建物で実際に使用可能とされている素材のサンプルであり、かつ自身を識別可能な識別情報を送信する送信手段を備えた複数の素材サンプルの表面画像を示す表面画像情報及び建物における使用場所を示す使用場所情報が対応する素材サンプルの前記識別情報に関連付けられて記憶されると共に、前記建物の３次元画像を示す３次元画像情報及び当該建物の各部屋の位置を示す位置情報が記憶された記憶手段と、前記３次元画像情報に基づいて前記建物の３次元画像を表示する表示手段と、複数の部屋が含まれた状態で前記建物の平面画像を提示するものであり、かつ前記素材サンプルが載置される提示手段と、を備えた情報処理装置により実行される建物デザイン提示プログラムであり、前記提示手段により前記建物の平面画像が提示されており、かつ当該提示手段に前記素材サンプルが載置された場合に、当該素材サンプルの前記送信手段により送信された前記識別情報を受信する受信ステップと、前記素材サンプルの前記提示手段における載置位置を特定する特定ステップと、前記素材サンプルの載置位置が前記平面画像における何れかの部屋の領域内に位置しているか否かを前記特定ステップによって特定された前記載置位置と前記位置情報に基づいて判定する判定ステップと、前記判定ステップにより何れかの部屋の領域内に位置していると判定した場合に、前記受信ステップによって受信した当該素材サンプルの前記識別情報に対応する前記表面画像情報及び前記使用場所情報に基づいて、当該部屋の当該素材サンプルに対応する領域が当該素材サンプルの表面画像で表示されるように前記表示手段を制御する制御ステップと、をコンピュータに実行させるものである。
【００２３】
従って、請求項１０記載の建物デザイン提示プログラムによれば、コンピュータに対して請求項１記載の発明と同様に作用させることができるので、請求項１記載の発明と同様に、容易に所望の部屋のみに対して選択したサンプルを適用した場合の表示を行うことができる。
【００２４】
なお、本発明は、請求項１１に記載の発明のように、前記記憶手段が、前記建物に含まれる部屋毎の前記素材サンプルの使用可否を示す使用可否情報が対応する素材サンプルの前記識別情報に関連付けられて更に記憶されたものであり、前記制御ステップが、前記載置された素材サンプルが載置位置に対応する部屋に使用できるか否かを前記使用可否情報に基づいて判定し、使用できないと判定した場合に警告を行う制御を行うものとしてもよい。これにより、誤った素材サンプルの使用を未然に回避することができる。
【発明の効果】
【００２５】
本発明によれば、各々提示対象とする建物で実際に使用可能とされている素材のサンプルである複数の素材サンプルを、自身を識別可能な識別情報を送信可能なものとし、前記複数の素材サンプルの表面画像を示す表面画像情報及び建物における使用場所を示す使用場所情報が対応する素材サンプルの前記識別情報に関連付けられて記憶されると共に、前記建物の３次元画像を示す３次元画像情報及び当該建物の各部屋の位置を示す位置情報が記憶された記憶手段と、前記３次元画像情報に基づいて前記建物の３次元画像を表示する表示手段と、複数の部屋が含まれた状態で前記建物の平面画像を提示するものであり、かつ前記素材サンプルが載置される提示手段と、を備えた情報処理装置により、前記提示手段により前記建物の平面画像が提示されており、かつ当該提示手段に前記素材サンプルが載置された場合に、当該素材サンプルにより送信された前記識別情報を受信すると共に、当該素材サンプルの前記提示手段における載置位置を特定し、前記素材サンプルの載置位置が前記平面画像における何れかの部屋の領域内に位置しているか否かを、特定した前記載置位置と前記位置情報に基づいて判定し、何れかの部屋の領域内に位置していると判定した場合に、受信した前記素材サンプルの前記識別情報に対応する前記表面画像情報及び前記使用場所情報に基づいて、当該部屋の当該素材サンプルに対応する領域が当該素材サンプルの表面画像で表示されるように前記表示手段を制御しているので、容易に所望の部屋のみに対して選択したサンプルを適用した場合の表示を行うことができる、という効果が得られる。
【発明を実施するための最良の形態】
【００２６】
以下、図面を参照して本発明の実施の形態の一例を詳細に説明する。なお、ここでは、本発明を、集合住宅の販売センタに設けられ、当該集合住宅の購入希望者に対して、希望する住居内の内装のデザインを提示する建物デザイン提示システムに適用した場合について説明する。
【００２７】
［第１の実施の形態］
まず、図１を参照して、本発明が適用された建物デザイン提示システム１０の構成を説明する。
【００２８】
同図に示すように、本実施の形態に係る建物デザイン提示システム１０は、当該システム１０全体の動作を司るパーソナル・コンピュータ（以下、「ＰＣ」という。）１２と、提示対象とする建物（以下、「提示対象建物」という。）の３次元画像を表示する表示装置１４と、提示対象建物の２次元平面画像を複数の部屋が含まれた状態で提示するテーブル１６と、各々提示対象建物で実際に使用可能とされている素材のサンプルである複数の素材サンプル１８と、を含んで構成されている。なお、同図では、テーブル１６の脚部の図示を省略している。また、表示装置１４は、液晶ディスプレイによるもの、プラズマ・ディスプレイによるもの、有機ＥＬディスプレイによるもの、ＣＲＴディスプレイによるもの等、その表示形式は問わない。
【００２９】
図２に示すように、本実施の形態に係る各素材サンプル１８は、実際に用いられる素材そのものが用いられた予め定められたサイズの矩形形状のものとされており、その裏面の所定位置（本実施の形態では、中心位置）にＩＣタグ１８Ａが取り付けられている。ここで、ＩＣタグ１８Ａには、当該ＩＣタグ１８自身を識別可能な識別情報（ここでは、当該ＩＣタグ１８Ａの製造番号）が予め記憶されており、当該識別情報が無線にて送信可能とされている。
【００３０】
一方、本実施の形態に係るテーブル１６は、上記２次元平面画像を示すパネル及び素材サンプル１８が載置される、平面視長方形状とされた提示面１６Ａを有しており、当該提示面１６Ａに素材サンプル１８が載置された場合に、当該素材サンプル１８のＩＣタグ１８Ａにより送信された識別情報を受信すると共に、識別情報の送信元であるＩＣタグ１８Ａの位置に基づいて当該素材サンプル１８の載置位置が特定可能なものとされている。
【００３１】
本実施の形態に係る建物デザイン提示システム１０では、提示面１６Ａが予め定められたサイズの矩形領域によりマトリクス状に複数に区分され、各区分領域内にＩＣタグ１８Ａと通信可能に構成されたアンテナ（図示省略。）が各々埋設されたものとされている。ここで、アンテナによる、素材サンプル１８に設けられたＩＣタグ１８Ａとの間の通信感度は、素材サンプル１８が提示面１６Ａに載置された状態で最も近い位置に位置されたアンテナのみが受信できる感度に予め調整されている。従って、何れかのアンテナにより素材サンプル１８のＩＣタグ１８Ａから識別情報が受信された場合、受信したアンテナの配設位置により素材サンプル１８の提示面１６Ａ上の載置位置を特定することができる。なお、本実施の形態に係る建物デザイン提示システム１０では、上記マトリクスとして、提示面１６Ａの長手方向に対して１００に区分される一方、短手方向に対して５０に区分されている。
【００３２】
テーブル１６はＰＣ１２に電気的に接続されており、ＰＣ１２は、テーブル１６の提示面１６Ａによって受信された識別情報及び特定された素材サンプル１８の載置位置を示す載置位置情報を取得することができる。また、表示装置１４もまたＰＣ１２に電気的に接続されており、ＰＣ１２は、表示装置１４に対して任意の画像を表示させることができる。
【００３３】
次に、図３を参照して、本システムにおいて特に重要な役割を有するＰＣ１２の電気系の要部構成を説明する。
【００３４】
同図に示すように、本実施の形態に係るＰＣ１２は、ＰＣ１２全体の動作を司るＣＰＵ（中央処理装置）１２Ａと、ＣＰＵ１２Ａによる各種処理プログラムの実行時のワークエリア等として用いられるＲＡＭ１２Ｂと、各種制御プログラムや各種パラメータ等が予め記憶されたＲＯＭ１２Ｃと、各種情報を記憶するために用いられる二次記憶部（ここでは、ハードディスク装置）１２Ｄと、外部装置等との間の各種信号の授受を司る入出力Ｉ／Ｆ（インタフェース）１２Ｇと、が備えられており、これら各部はシステムバスＢＵＳにより電気的に相互に接続されている。
【００３５】
従って、ＣＰＵ１２Ａは、ＲＡＭ１２Ｂ、ＲＯＭ１２Ｃ、及び二次記憶部１２Ｄに対するアクセスと、入出力Ｉ／Ｆ１２Ｇを介した外部装置等との間の各種信号の授受を各々行うことができる。なお、入出力Ｉ／Ｆ１２Ｇには、前述した表示装置１４及びテーブル１６が電気的に接続されており、ＣＰＵ１２Ａは、表示装置１４に対する各種情報の表示及びテーブル１６からの上記識別情報及び上記載置位置情報の取得も行うことができる。
【００３６】
一方、図４には、ＰＣ１２に備えられた二次記憶部１２Ｄの主な記憶内容が模式的に示されている。同図に示すように、二次記憶部１２Ｄには、各種データベースを記憶するためのデータベース領域ＤＢと、各種処理を行うためのプログラム等を記憶するためのプログラム領域ＰＧと、が設けられている。
【００３７】
なお、データベース領域ＤＢには、素材サンプル１８を管理するための情報が予め記憶されたサンプル管理データベースＤＢ１と、本建物デザイン提示システム１０で取り扱っている建物を管理するための情報が予め記憶された建物管理データベースＤＢ２と、当該建物の３次元画像を示す情報を記憶するための建物画像データベースＤＢ３と、建物デザイン提示システム１０のユーザ（ここでは、集合住宅の購入希望者）に関する情報を記憶するためのユーザデータベースＤＢ４とが含まれている。以下、これらのデータベースの構成について、図面を参照しつつ詳細に説明する。
【００３８】
図５に示すように、本実施の形態に係るサンプル管理データベースＤＢ１は、種別、サンプルＩＤ、使用場所、単価、グレード、使用可能タイプ、及び画像情報の各情報が記憶されるように構成されている。
【００３９】
なお、上記種別は、対応する素材サンプル１８が属する「フローリング」、「クロス」といった種類を示す情報であり、上記サンプルＩＤは、各素材サンプル１８に対して唯一無二に付与された情報であり、本実施の形態に係るサンプルデータベースＤＢ１では、対応する素材サンプル１８に設けられたＩＣタグ１８Ａに記憶されている識別情報を適用している。
【００４０】
また、上記使用場所は、対応する素材サンプル１８の「床」、「壁」といった使用場所を示す情報であり、更に、上記単価は、対応する素材サンプル１８の予め定められた単位サイズ当たりの価格を示す情報である。
【００４１】
また、上記グレードは、対応する素材サンプル１８のグレードを示す情報であり、上記使用可能タイプは、対応する素材サンプル１８が使用可能とされている住居のタイプを示す情報であり、更に、上記画像情報は、対応する素材サンプル１８の表面画像を示す画像情報である。なお、本実施の形態に係るサンプル管理データベースＤＢ１では、上記グレードとして、グレードが高い順に‘１’、‘２’、・・・というように数値情報が適用されており、上記住居のタイプとして、‘Ａ’、‘Ｂ’、・・・というようにアルファベット情報が適用されている。
【００４２】
同図に示す例では、例えば、サンプルＩＤとして‘００１００１’が付与された素材サンプル１８は、床に使用されるフローリングに属する素材であり、そのグレードは‘１’で、かつ使用可能タイプがタイプＡのみであることを表している。なお、同図では、上記画像情報として、対応する素材サンプル１８の表面画像を示す画像情報そのものが記憶される場合について示しているが、これに限らず、例えば、当該画像情報の格納先を示すリンク情報を記憶する形態等とすることができることは言うまでもない。
【００４３】
一方、図６に示すように、本実施の形態に係る建物管理データベースＤＢ２は、建物ＩＤ、住居ＩＤ、タイプ、部屋ＩＤ、位置、及び部屋名の各情報が記憶されるように構成されている。
【００４４】
なお、上記建物ＩＤは、対応する建物に対して唯一無二の情報として建物デザイン提示システム１０のシステム管理者によって予め付与された情報であり、上記住居ＩＤは、対応する住居に対して唯一無二の情報として建物デザイン提示システム１０のシステム管理者によって予め付与された情報であり、上記タイプは、対応する住居のタイプを示す情報であり、上記サンプル管理データベースＤＢ１の使用可能タイプを示す情報と同様のものである。
【００４５】
また、上記部屋ＩＤは、対応する部屋に対して唯一無二の情報として建物デザイン提示システム１０のシステム管理者によって予め付与された情報であり、上記位置は、対応する部屋の位置を示す情報であり、更に、上記部屋名は、対応する部屋の「リビング」、「和室」等といった名称を示す情報である。
【００４６】
なお、本実施の形態に係る建物管理データベースＤＢ２では、提示面１６Ａにおける上記アンテナが設けられている各区分領域に対して連続的に番号が予め付与されており、当該番号を上記位置を示す情報として適用している。そして、本実施の形態に係る建物デザイン提示システム１０は、取り扱い対象としている住居毎に当該住居の平面図が描画された平板状のパネル１６Ｂ（図１０（Ａ）も参照。）が用意されており、当該パネル１６Ｂがテーブル１６の提示面１６Ａにおける所定位置（ここでは、パネル１６Ｂの中心位置が提示面１６Ａの中心位置に一致する位置）に載置された際に、当該パネル１６Ｂに描画されている住居における、対応する部屋の左上角点及び右下角点の２つの位置に対応する上記番号を上記位置を示す情報として適用している。
【００４７】
一方、図７に示すように、本実施の形態に係る建物画像データベースＤＢ３は、建物ＩＤ及び画像情報の各情報が記憶されるように構成されている。
【００４８】
なお、上記建物ＩＤは、上記建物管理データベースＤＢ２と同様のものであり、上記画像情報は、対応する建物の３次元画像を示す画像情報である。なお、本実施の形態に係る建物画像データベースＤＢ３では、上記画像情報として、対応する建物の３次元形状を座標で表現した座標データと、当該建物の表面及び内部の少なくとも一方の色データ及び形状の画像データと、当該建物の床、壁、天井等といった各部毎の属性を示すデータを含むデータを適用しているが、これに限らず、例えば、上記座標データ及び属性を示すデータのみにより構成されたデータを適用してもよい。
【００４９】
一方、図８に示すように、本実施の形態に係るユーザデータベースＤＢ４は、ユーザＩＤ、住居ＩＤ及び使用素材の各情報が記憶されるように構成されている。
【００５０】
なお、上記ユーザＩＤは、対応するユーザに対して唯一無二の情報として建物デザイン提示システム１０のシステム管理者によって予め付与された情報であり、上記住居ＩＤは、上記建物管理データベースＤＢ２と同様のものであり、更に、上記使用素材は、対応するユーザにより対応する住居に使用することが指示された素材サンプル１８を示す情報であり、本実施の形態に係るユーザデータベースＤＢ４では、上記サンプルＩＤと同様の情報を適用している。
【００５１】
次に、図９を参照して、本実施の形態に係る建物デザイン提示システム１０の作用を説明する。なお、図９は、建物デザイン提示処理の実行指示がＰＣ１２に設けられた不図示のキーボード等を介して入力された際にＰＣ１２のＣＰＵ１２Ａにより実行される建物デザイン提示処理プログラムの処理の流れを示すフローチャートであり、当該プログラムは二次記憶部１２Ｄのプログラム領域ＰＧに予め記憶されている。
【００５２】
当該建物デザイン提示処理プログラムの実行に先立ち、ユーザは、所望の建物及び住居（以下、「提示対象住居」という。）を、上記キーボード等を介して指定する。なお、このとき、ユーザは、既にユーザＩＤが付与されている場合には当該ユーザＩＤも上記キーボード等を介して入力する。そして、ユーザは、提示対象住居に対応するパネル１６Ｂをテーブル１６の提示面１６Ａにおける所定位置に載置した後、上記建物デザイン提示処理の実行指示を、上記キーボード等を介して入力する。これに応じて、ＣＰＵ１２Ａは、図９に示される建物デザイン提示処理プログラムの実行を開始する。
【００５３】
まず、同図のステップ１００では、指定された建物に対応する画像情報を建物画像データベースＤＢ３から読み出し、当該画像情報により示される当該建物の３次元画像を表示するように表示装置１４を制御する。これに応じて、表示装置１４には当該３次元画像が表示される（図示省略。）ことになる。
【００５４】
ここで、ユーザは、一例として図１０（Ｂ）に示すように、テーブル１６の提示面１６Ａに載置したパネル１６Ｂに描画されている住居における所望の部屋の領域内に所望の素材サンプル１８を載置する。これに応じて、提示面１６Ａは、当該素材サンプル１８から受信された上記識別情報と、当該素材サンプル１８の載置位置を示す上記載置位置情報を送信する。
【００５５】
そこで、次のステップ１０４では、上記識別情報及び載置位置情報の受信待ちを行い、次のステップ１０６にて、テーブル１６に載置されているパネル１６Ｂに描画されている住居の何れかの部屋の領域内に素材サンプル１８が載置されたか否かを、受信した載置位置情報及び建物管理データベースＤＢ２の位置情報に基づいて判定し、否定判定となった場合はステップ１０８に移行して、素材サンプル１８の載置位置が不適切であることを示す警告情報（図示省略。）を表示するように表示装置１４を制御して、その後に後述するステップ１３２に移行する。
【００５６】
一方、上記ステップ１０６において肯定判定となった場合にはステップ１１０に移行し、この時点で表示装置１４により何れかの部屋が拡大表示されているか否かを判定し、否定判定となった場合はステップ１１２に移行して、素材サンプル１８が載置された位置に対応する部屋の３次元画像の拡大画像を、上記ステップ１００の処理によって読み出した画像情報に基づいて表示するように表示装置１４を制御した後、ステップ１１４に移行する。なお、本建物デザイン提示処理プログラムの実行指示が入力された際にユーザＩＤが入力された場合に、上記ステップ１１２では、当該ユーザＩＤに対応する使用素材情報をユーザデータベースＤＢ４から読み出し、読み出した使用素材情報により示される素材サンプル１８の表面画像を対応する部分に適用したものを上記拡大画像として表示するように表示装置１４を制御する。
【００５７】
図１１（Ａ）には、上記ステップ１１２の処理によって表示装置１４により表示される部屋の３次元拡大画像の表示状態例が示されている。なお、上記ステップ１１０において肯定判定となった場合には、上記ステップ１１２の処理を実行することなく、ステップ１１４に移行する。
【００５８】
ステップ１１４では、サンプル管理データベースＤＢ１を参照して、受信した識別情報と同一のサンプルＩＤが付与されている素材サンプル１８が、ユーザによって載置された素材サンプル（以下、「処理対象サンプル」という。）であるものと特定し、次のステップ１１６にて、処理対象サンプルの使用可能タイプ情報をサンプル管理データベースＤＢ１から読み出すと共に提示対象住居のタイプ情報を建物管理データベースＤＢ２から読み出して、上記使用可能タイプ情報により示される住居のタイプと上記タイプ情報により示されるタイプが合致するか否かを判定することにより、処理対象サンプルが提示対象住居に使用可能か否かを判定し、否定判定となった場合はステップ１１８に移行して、パネル１６Ｂに載置した素材サンプル１８は使用することができないことを示す警告情報（図示省略。）を表示するように表示装置１４を制御し、その後に後述するステップ１３２に移行する。
【００５９】
一方、上記ステップ１１６において肯定判定となった場合にはステップ１２０に移行し、この時点でパネル１６Ｂに描画されている住居の同一の部屋の内部に複数の素材サンプル１８が載置されているか否かを判定し、肯定判定となった場合はステップ１２２に移行する。
【００６０】
ステップ１２２では、上記複数の素材サンプル１８のパネル１６Ｂ上の配置位置が適切であるか否かを上記ステップ１００の処理によって読み出した画像情報に基づいて判定する。すなわち、本実施の形態に係る建物デザイン提示システム１０では、一例として図１２に示すように、各部に対応する素材サンプル１８を提示対象住居における実際の隣接関係と同様となるようにパネル１６Ｂ上に載置することにより、各部の境界位置における配色の調和性等を視覚的に判断することができるものとされている。このため、本ステップ１２２では、上記ステップ１００の処理によって読み出した画像情報により示される、ユーザによりパネル１６Ｂの同一部屋内に載置された複数の素材サンプル１８に対応する各部の位置関係が当該複数の素材サンプル１８のパネル１６Ｂ上の位置関係と合致しているか否かを判定することにより、上記複数の素材サンプル１８の配置位置が適切であるか否かを判定している。
【００６１】
上記ステップ１２２において否定判定となった場合はステップ１２４に移行し、パネル１６Ｂに載置した複数の素材サンプル１８の載置位置が不適切であることを示す警告情報（図示省略。）を表示するように表示装置１４を制御し、その後に上記ステップ１０４に戻る一方、上記ステップ１２２において肯定判定となった場合にはステップ１２６に移行する。
【００６２】
ステップ１２６では、処理対象サンプルに対応する画像情報及び使用場所情報をサンプル管理データベースＤＢ１から読み出し、この時点で表示装置１４により表示されている拡大画像の処理対象サンプルに対応する部分が、読み出した画像情報により示される表面画像に変換される（置き換えられる）ように表示装置１４を制御する。この結果、一例として図１１（Ｂ）に示されるように、ユーザによってパネル１６Ｂ上に載置された処理対象サンプルが用いられる部分（同図では、壁）として、当該処理対象サンプルの表面画像が表示されることになる。従って、ユーザは、当該画像を参照することにより、処理対象サンプルが適用された場合の提示対象住居の色彩的な状態を視覚的に把握することができる。
【００６３】
次のステップ１２８では、処理対象サンプルに対応する単価情報をサンプル管理データベースＤＢ１から読み出し、当該単価情報により示される単価に、上記ステップ１００の処理によって読み出した画像情報により特定される処理対象サンプルの使用量を乗算することによって、処理対象サンプルの見積額を算出して、次のステップ１３０にて、算出した見積額を表示するように表示装置１４を制御する。この結果、一例として図１１（Ｃ）に示されるように、処理対象サンプルを用いた場合の当該処理対象サンプルの見積額が表示されることになる。
【００６４】
次のステップ１３２では、本建物デザイン提示処理プログラムの終了のタイミングが到来したか否かを判定し、否定判定となった場合は上記ステップ１０４に戻り、肯定判定となった時点でステップ１３４に移行する。なお、上記終了のタイミングとしては、例えば、ユーザによって本建物デザイン提示処理プログラムの終了を指示する指示入力が行われたタイミングや、素材サンプル１８のパネル１６Ｂ上への載置が所定期間（例えば、２０分間）以上行われなかったタイミング等を挙げることができる。
【００６５】
ステップ１３４では、この時点でパネル１６Ｂ上に載置されている素材サンプル１８をユーザによって使用が指定された素材サンプル１８であるものとしてユーザデータベースＤＢ４に登録し、その後に本建物デザイン提示処理プログラムを終了する。
【００６６】
以上詳細に説明したように、本実施の形態では、各々提示対象とする建物で実際に使用可能とされている素材のサンプルである複数の素材サンプルを、自身を識別可能な識別情報を送信可能なものとし、前記複数の素材サンプルの表面画像を示す表面画像情報及び建物における使用場所を示す使用場所情報が対応する素材サンプルの前記識別情報（ここでは、サンプルＩＤ）に関連付けられて記憶されると共に、前記建物の３次元画像を示す３次元画像情報及び当該建物の各部屋の位置を示す位置情報が記憶された記憶手段（ここでは、二次記憶部１２Ｄ）と、前記３次元画像情報に基づいて前記建物の３次元画像を表示する表示手段（ここでは、表示装置１４）と、複数の部屋が含まれた状態で前記建物の平面画像を提示するものであり、かつ前記素材サンプルが載置される提示手段（ここでは、テーブル１６）と、を備えた情報処理装置（ここでは、ＰＣ１２）により、前記提示手段により前記建物の平面画像が提示されており、かつ当該提示手段に前記素材サンプルが載置された場合に、当該素材サンプルにより送信された前記識別情報を受信すると共に、当該素材サンプルの前記提示手段における載置位置を特定し、前記素材サンプルの載置位置が前記平面画像における何れかの部屋の領域内に位置しているか否かを、特定した前記載置位置と前記位置情報に基づいて判定し、何れかの部屋の領域内に位置していると判定した場合に、受信した前記素材サンプルの前記識別情報に対応する前記表面画像情報及び前記使用場所情報に基づいて、当該部屋の当該素材サンプルに対応する領域が当該素材サンプルの表面画像で表示されるように前記表示手段を制御しているので、容易に所望の部屋のみに対して選択したサンプルを適用した場合の表示を行うことができる。
【００６７】
また、本実施の形態では、前記記憶手段を、前記建物に含まれる部屋毎の前記素材サンプルの使用可否を示す使用可否情報（ここでは、使用可能タイプ情報）が対応する素材サンプルの前記識別情報に関連付けられて更に記憶されたものとし、前記載置された素材サンプルが載置位置に対応する部屋に使用できるか否かを前記使用可否情報に基づいて判定して、使用できないと判定した場合に警告を行う制御を行っているので、誤った素材サンプルの使用を未然に回避することができる。
【００６８】
また、本実施の形態では、前記提示手段に前記素材サンプルが複数載置された場合に、当該複数の素材サンプル相互の位置関係が前記３次元画像情報により示される位置関係と異なっている場合に警告を行う制御を行っているので、複数の素材サンプルの誤った載置位置の発生を未然に回避することができる。
【００６９】
また、本実施の形態では、前記素材サンプルの識別情報をＩＣタグで送信するものとしているので、近年、市場に広く供給されている安価で、かつ小型のＩＣタグを利用して本発明を構成することができ、本発明を低コストで実現することができる。
【００７０】
更に、本実施の形態では、前記記憶手段により、前記複数の素材サンプルの価格を示す価格情報（ここでは、単価情報）を対応する素材サンプルの前記識別情報に関連付けて更に記憶しておき、前記提示手段に載置された素材サンプルを実際に使用した場合の費用の見積額を前記価格情報に基づいて導出して表示するように前記表示手段を制御しているので、予算に見合った素材サンプルの選定を行うことができるようになる結果、より利便性を向上させることができる。
【００７１】
［第２の実施の形態］
上記第１の実施の形態では、本発明の提示手段として、提示対象とする住居が描画されたパネル１６Ｂを載置することにより建物の平面画像を提示するものを適用した場合の形態例について説明したが、本第２の実施の形態では、本発明の提示手段として、建物の３次元画像を示す画像情報に基づいて生成された映像信号により電気的に上記平面画像を表示することにより当該平面画像を提示するものを適用した場合の形態例について説明する。
【００７２】
まず、図１３を参照して、本第２の実施の形態に係る建物デザイン提示システム１０’の構成を説明する。なお、図１３における図１と同一の構成要素については図１と同一の符号を付して、その説明を省略する。
【００７３】
図１３に示されるように、本第２の実施の形態に係る建物デザイン提示システム１０’は、上記第１の実施の形態に係る建物デザイン提示システム１０に比較して、テーブル１６に代えて、液晶パネル１６Ａ’を有する液晶ディスプレイ装置１６’を適用している点のみ相違している。
【００７４】
本実施の形態に係る液晶ディスプレイ装置１６’は、液晶パネル１６Ａ’による表示面が上方を向く状態とされたものである。
【００７５】
ここで、液晶パネル１６Ａ’は、当該液晶パネル１６Ａ’に素材サンプル１８が載置された場合に、当該素材サンプル１８のＩＣタグ１８Ａにより送信された識別情報を受信すると共に、識別情報の送信元であるＩＣタグ１８Ａの位置に基づいて当該素材サンプル１８の載置位置が特定可能なものとされている。
【００７６】
すなわち、本実施の形態に係る建物デザイン提示システム１０’では、液晶パネル１６Ａ’の表示面が予め定められたサイズの矩形領域によりマトリクス状に複数に区分され、各区分領域内にＩＣタグ１８Ａと通信可能に構成されたアンテナ（図示省略。）が各々埋設されたものとされている。ここで、アンテナによる、素材サンプル１８に設けられたＩＣタグ１８Ａとの間の通信感度は、素材サンプル１８が液晶パネル１６Ａ’に載置された状態で最も近い位置に位置されたアンテナのみが受信できる感度に予め調整されている。従って、何れかのアンテナにより素材サンプル１８のＩＣタグ１８Ａから識別情報が受信された場合、受信したアンテナの配設位置により素材サンプル１８の液晶パネル１６Ａ’上の載置位置を特定することができる。なお、本実施の形態に係る建物デザイン提示システム１０’では、上記マトリクスとして、液晶パネル１６Ａ’の長手方向に対して１００に区分される一方、短手方向に対して５０に区分されている。
【００７７】
液晶ディスプレイ装置１６’はＰＣ１２に電気的に接続されており、ＰＣ１２は、液晶ディスプレイ装置１６’の液晶パネル１６Ａ’によって受信された識別情報及び特定された素材サンプル１８の載置位置を示す載置位置情報を取得することができる一方、液晶パネル１６Ａ’に任意の画像を表示させることができる。
【００７８】
なお、本実施の形態に係る建物デザイン提示システム１０’におけるＰＣ１２の構成や、各種データベースＤＢ１〜ＤＢ４のデータ構造は、上記第１の実施の形態に係るものと同様のものであるので、ここでの説明は省略する。
【００７９】
次に、図１４を参照して、本実施の形態に係る建物デザイン提示システム１０’の作用を説明する。なお、図１４は、建物デザイン提示処理の実行指示がＰＣ１２に設けられた不図示のキーボード等を介して入力された際にＰＣ１２のＣＰＵ１２Ａにより実行される、本第２の実施の形態に係る建物デザイン提示処理プログラムの処理の流れを示すフローチャートであり、当該プログラムは二次記憶部１２Ｄのプログラム領域ＰＧに予め記憶されている。また、図１４における図９と同一の処理を行うステップには図９と同一のステップ番号を付して、その説明を省略する。
【００８０】
同図のステップ１０２では、ステップ１００の処理によって読み出された画像情報に基づいて、提示対象住居の２次元平面図を示す画像情報を生成し、当該画像情報により示される画像を表示するように液晶ディスプレイ装置１６’を制御する。なお、本ステップ１０２では、上記２次元平面図を示す画像情報を、当該２次元平面図がパネル１６Ｂに描画される場合と同様のサイズで液晶パネル１６Ａ’により表示されるように生成する。これにより、一例として図１０（Ａ）により示されるパネル１６Ｂに描画されている画像と同様のサイズの画像が液晶ディスプレイ装置１６’の液晶パネル１６Ａ’により表示されることになる。
【００８１】
その後、ステップ１１３では、ユーザによって素材サンプル１８が載置された位置に対応する部屋の３次元画像の拡大画像を、上記ステップ１００の処理によって読み出した画像情報に基づいて表示するように表示装置１４及び液晶ディスプレイ装置１６’を制御する。なお、本建物デザイン提示処理プログラムの実行指示が入力された際にユーザＩＤが入力された場合に、上記ステップ１１３では、表示装置１４により表示する拡大画像として、当該ユーザＩＤに対応する使用素材情報により示される素材サンプル１８の表面画像を対応する部分に適用したものを適用している。
【００８２】
本ステップ１１３の処理により、液晶ディスプレイ装置１６’の液晶パネル１６Ａ’には、一例として図１５（Ａ）に示されるような１部屋分の平面図が拡大された状態で表示されることになる。従って、ユーザは、一例として図１５（Ｂ）に示されるように、より多くの素材サンプル１８を当該部屋の表示領域に載置することができるようになる結果、利便性を向上させることができる。
【００８３】
本第２の実施の形態においても、上記第１の実施の形態と同様の効果を奏することができると共に、３次元画像情報に基づいて生成された映像信号により電気的に提示対象住居を示す平面画像が表示されることにより当該平面画像を提示しているので、当該平面画像を容易に提示することができる。
【００８４】
特に、本実施の形態では、提示手段（ここでは、液晶ディスプレイ装置１６’）により前記平面画像が提示されており、かつ当該提示手段に前記素材サンプルが載置され、更に当該素材サンプルの載置位置が前記平面画像における何れかの部屋の領域内に位置している場合に、当該部屋が拡大されて提示されるように前記提示手段を制御しているので、素材サンプルの載置可能領域を、より広くすることができる結果、利便性を向上させることができる。
【００８５】
なお、本実施の形態では、本発明の提示手段として、建物の３次元画像を示す画像情報に基づいて生成された映像信号により電気的に平面画像を表示されることにより当該平面画像を提示するものとした場合の形態例について説明したが、本発明はこれに限定されるものではなく、例えば、上記３次元画像を示す画像情報により示される平面画像を担持した光が投影されることにより当該平面画像を提示する、プロジェクタを用いた形態とすることもできる。この場合も、本実施の形態と同様の効果を奏することができる。
【００８６】
また、上記各実施の形態では、集合住宅の購入希望者自身が建物デザイン提示処理プログラムを実行させて各種操作を行う場合について説明したが、本発明はこれに限定されるものではなく、例えば、これらの操作を行う操作者を予め用意しておき、当該操作者により、これらの操作を行う形態とすることもできる。この場合、集合住宅の購入希望者による手間を省くことができ、より利便性を向上させることができる。
【００８７】
また、上記各実施の形態では、ＰＣ１２と、表示装置１４及びテーブル１６又は液晶ディスプレイ装置１６’とを有線で電気的に接続した場合について説明したが、本発明はこれに限定されるものではなく、無線で接続する形態とすることもできる。この場合、上記各実施の形態に比較して利便性を向上させることができる。
【００８８】
その他、上記各実施の形態で説明した建物デザイン提示システム１０、１０’及び素材サンプル１８の構成（図１〜図４、図１３参照。）は一例であり、本発明の主旨を逸脱しない範囲内において適宜変更可能であることは言うまでもない。例えば、素材サンプル１８の形状は矩形形状に限らず、他の形状とすることもできる。
【００８９】
また、上記各実施の形態で示した各データベースＤＢ１〜ＤＢ４のデータ構造（図５〜図８参照。）も一例であり、本発明の主旨を逸脱しない範囲内において、不要な情報を削除したり、新規な情報を追加したり、情報の定義を変更したりすることができることも言うまでもない。
【００９０】
また、上記各実施の形態で示した各種表示画面の表示状態（図１１、図１５参照。）も一例であり、本発明の主旨を逸脱しない範囲内において、不要な情報を削除したり、新規な情報を追加したり、表示フォーマットそのものを変更したりすることができることも言うまでもない。
【００９１】
更に、上記各実施の形態で示した建物デザイン提示処理プログラムの処理の流れ（図９、図１４参照。）も一例であり、本発明の主旨を逸脱しない範囲内において、不要な処理を削除したり、新規な処理を追加したり、処理手順を変更したりすることができることは言うまでもない。
【図面の簡単な説明】
【００９２】
【図１】第１の実施の形態に係る建物デザイン提示システムの構成を示す概略斜視図である。
【図２】実施の形態に係る素材サンプルの外観を示す外観図である。
【図３】実施の形態に係るＰＣの電気系の要部構成を示すブロック図である。
【図４】実施の形態に係るＰＣに備えられた二次記憶部の主な記憶内容を示す模式図である。
【図５】実施の形態に係るサンプル管理データベースのデータ構造を示す模式図である。
【図６】実施の形態に係る建物管理データベースのデータ構造を示す模式図である。
【図７】実施の形態に係る建物画像データベースのデータ構造を示す模式図である。
【図８】実施の形態に係るユーザデータベースのデータ構造を示す模式図である。
【図９】第１の実施の形態に係る建物デザイン提示処理プログラムの処理の流れを示すフローチャートである。
【図１０】第１の実施の形態に係るパネルの構成及び素材サンプルの載置状態を示す概略平面図である。
【図１１】実施の形態に係る建物デザイン提示処理プログラムにより表示される部屋の３次元拡大画像の表示状態例を示す概略図である。
【図１２】実施の形態に係る建物デザイン提示処理プログラムの説明に供する概略平面図である。
【図１３】第２の実施の形態に係る建物デザイン提示システムの構成を示す概略斜視図である。
【図１４】第２の実施の形態に係る建物デザイン提示処理プログラムの処理の流れを示すフローチャートである。
【図１５】第２の実施の形態に係る建物デザイン提示処理プログラムにより表示される部屋の２次元拡大画像の表示状態例を示す概略図である。
【符号の説明】
【００９３】
１０、１０’    建物デザイン提示システム
１２    パーソナル・コンピュータ
１２Ａ    ＣＰＵ（制御手段）
１２Ｄ    二次記憶部（記憶手段）
１４    表示装置（表示手段）
１６    テーブル（提示手段）
１６’    液晶ディスプレイ装置（提示手段）
１６Ａ    提示面（受信手段）
１６Ａ’    液晶パネル（受信手段）
１８    素材サンプル
１８Ａ    ＩＣタグ（送信手段）
【図１】
0004749191.tif 000002
【図２】
0004749191.tif 000003
【図３】
0004749191.tif 000004
【図４】
0004749191.tif 000005
【図５】
0004749191.tif 000006
【図６】
0004749191.tif 000007
【図７】
0004749191.tif 000008
【図８】
0004749191.tif 000009
【図９】
0004749191.tif 000010
【図１０】
0004749191.tif 000011
【図１１】
0004749191.tif 000012
【図１２】
0004749191.tif 000013
【図１３】
0004749191.tif 000014
【図１４】
0004749191.tif 000015
【図１５】
0004749191.tif 000016